(57)【要約】【課題】サーバ装置は、各クライアント端末に適した初期表示を行わせるとともに、各クライアント端末に同一周期で運行情報を表示させることが可能な輸送情報表示システムを得る。【解決手段】サーバ装置１２は、クライアント端末１５からの要求信号を受信して当該要求信号を処理する汎用Ｗｅｂサーバ１２ａと、上記要求信号に基づいてＷｅｂデータを生成するＷｅｂデータ生成プログラム１２ｂと、列車の運行を管理する運行管理システム１０から周期的にデータを取得するＩ／Ｆプログラム１２ｃと、このＩ／Ｆプログラム１２ｃが取得したデータを処理して各種データの送受信を行う運行表示サーバ１３とを備え、クライアント端末１５は、サーバ装置１３から受信したＷｅｂデータを表示する汎用Ｗｅｂブラウザ１５ａと、運行表示サーバ１３とデータの送受信を行って列車の運行状況を表示する運行表示クライアント１５ｂとを備える。【選択図】        図１
2004249910.tif 000002
【特許請求の範囲】
【請求項１】
列車の運行を管理する運行管理システムと、この運行管理システムにＬＡＮを介して接続されるサーバ装置と、このサーバ装置にネットワークを介して接続されるクライアント端末とを含む輸送情報表示システムにおいて、
上記サーバ装置は、上記クライアント端末からの要求信号を受信して当該要求信号を処理する汎用Ｗｅｂサーバと、上記要求信号に基づいて上記クライアント端末に返信するためのＷｅｂデータを生成するＷｅｂデータ生成プログラムと、上記運行管理システムから周期的にデータを取得するＩ／Ｆプログラムと、このＩ／Ｆプログラムが取得したデータを処理して各種データの送受信を上記クライアント端末に対して行う運行表示サーバとを備え、
上記クライアント端末は、上記サーバ装置から受信した上記Ｗｅｂデータを表示する汎用Ｗｅｂブラウザと、上記運行表示サーバとデータの送受信を行って列車の運行状況を表示する運行表示クライアントとを備える
ことを特徴とする輸送情報表示システム。
【請求項２】
上記クライアント端末が表示するための各上記データを生成するための画面編集機能部をさらに備えたことを特徴とする請求項１に記載の輸送情報表示システム。
【請求項３】
列車の運行を管理する運行管理システムと、この運行管理システムにＬＡＮを介して接続されるサーバ装置と、このサーバ装置にネットワークを介して接続されるクライアント端末とを含む輸送情報表示システムにおいて、
上記サーバ装置は、上記クライアント端末からの要求信号を受信して当該要求信号を処理する汎用Ｗｅｂサーバと、上記要求信号に基づいて上記クライアント端末に返信するためのＷｅｂデータを生成するＷｅｂデータ生成プログラムとを備え、
上記クライアント端末は、上記サーバ装置から受信した上記Ｗｅｂデータを表示する汎用Ｗｅｂブラウザを備える
ことを特徴とする輸送情報表示システム。
【発明の詳細な説明】
【０００１】
【発明の属する技術分野】
この発明は輸送情報表示システムに関し、特に、列車の運行管理システムから情報を取得して、列車の運行状況をはじめとする各種輸送情報を表示するための輸送情報表示システムに関するものである。
【０００２】
【従来の技術】
輸送情報表示システムは、指令所の運行管理システムにおいて管理される運行状況などの情報を、駅事務所や保守区などの遠隔地でも表示することを目的としたシステムである。このシステムにより、広域にわたる列車の運行状況を場所の制約なしに把握することが可能となり、列車の運行に関わるリアルタイムな情報を共有化することで、ダイヤが乱れた際にも迅速な対応が可能となる。
【０００３】
輸送情報表示システムは、情報の配信等を行うサーバ装置が指令所にあり、情報を表示するクライアント端末が駅事務所などの遠隔地に置かれ、これらがネットワークを介して接続されるという構成をとる。従来のシステムでは、各クライアント端末に対して当該機能を行う専用のアプリケーションをインストールしなければならず、設備等の変更に伴うソフトウェア改修が発生した場合、その改修版を人手により各クライアント端末にインストールする必要があった。対象となるクライアント端末は広範囲にわたって多数配置されるため、その作業は非常に手間とコストのかかる作業であった。
【０００４】
この問題の解決方法の１つが提案されている（例えば、特許文献１参照。）。
【０００５】
【特許文献１】
特開２００２−６７９６１号公報
【０００６】
提案された方法では、クライアント端末で汎用のＷｅｂブラウザを動作させ、これによって運行状況を含む列車情報を表示させる。クライアント端末ではＷｅｂブラウザ上でクライアントアプリケーション（Ｊａｖａ（登録商標）アプレット）を動作させ、これがサーバ装置で動作するサーバアプリケーションに対して表示情報の要求を行う。サーバアプリケーションは要求を受付けるとそれに関するＨＴＭＬデータを作成し、クライアントアプリケーションへそのデータを送信する。このようにＷｅｂ技術を応用した方法によって、上記問題を解決している。
【０００７】
また、この方法では、表示内容や表示形態の変更をＨＴＭＬで記述した文書データの変更によって容易に行うことを可能とした。これにより、設備変更等のソフトウェアの改修コストを抑えることも可能とした。
【０００８】
【発明が解決しようとする課題】
しかしながら、上記の方法では各クライアントアプリケーションが各々の周期タイミングでサーバアプリケーションに情報要求を送信するため、各クライアント端末で同じ情報を表示させていても、その内容に違いが生ずる場合がある。例えば、ネットワーク負荷を下げるためクライアントアプリケーションの情報更新間隔を１分と設定した場合、表示のずれが最大で１分間発生することになる。運行状況の表示については、遠隔地と言えどもある程度のリアルタイム性は必要であり、また同じ情報を共有化することが緊急時の迅速な対応につながることから、このことはその妨げとなる。
【０００９】
また、サーバアプリケーションは各クライアントアプリケーションの設置箇所等の属性を管理していないため、各クライアントアプリケーションに適切な初期表示をさせることができない。例えば、クライアントアプリケーションの初期表示が区間１の情報に設定されている場合、区間３のクライアントアプリケーションが自身の情報を表示するためには、初期表示後すなわち区間１の画面表示後に区間３の画面へ切替える必要があり、初期表示と当該表示の２回の通信がサーバアプリケーションとの間で発生するなど処理効率も悪くなる。
【００１０】
さらに、上記の方法では例えば運行状況表示において、列車番号表示窓や区間セルなどの可変表示部のみをＪａｖａ（登録商標）アプレットにより記述しており、駅名や駅ホームなどの固定表示部はＨＴＭＬで記述する。画面表示ではこれらの可変表示部と固定表示部の配置が重要であるが、上記方法ではこれらを別に扱っていることから、それらの表示形態の変更は困難である。また、線路配線などが変更になった場合、上記方法では線路を表す区間セルがＪａｖａ（登録商標）アプレットであるため、その変更はソースコードを修正することとなり、容易な改修は困難である。
【００１１】
この発明は、かかる問題点を解決するためになされたものであり、サーバ装置は各クライアント端末に適した初期表示を行わせることが可能となり、またサーバ装置は各クライアント端末に同一周期で運行情報を表示させることが可能な輸送情報表示システムを得ることを目的とする。
【００１２】
【課題を解決するための手段】
この発明は、列車の運行を管理する運行管理システムと、この運行管理システムにＬＡＮを介して接続されるサーバ装置と、このサーバ装置にネットワークを介して接続されるクライアント端末とを含む輸送情報表示システムにおいて、上記サーバ装置は、上記クライアント端末からの要求信号を受信して当該要求信号を処理する汎用Ｗｅｂサーバと、上記要求信号に基づいて上記クライアント端末に返信するためのＷｅｂデータを生成するＷｅｂデータ生成プログラムと、上記運行管理システムから周期的にデータを取得するＩ／Ｆプログラムと、このＩ／Ｆプログラムが取得したデータを処理して各種データの送受信を上記クライアント端末に対して行う運行表示サーバとを備え、上記クライアント端末は、上記サーバ装置から受信した上記Ｗｅｂデータを表示する汎用Ｗｅｂブラウザと、上記運行表示サーバとデータの送受信を行って列車の運行状況を表示する運行表示クライアントとを備える。
【００１３】
【発明の実施の形態】
実施の形態１．
この発明の実施の形態１における輸送情報表示システムについて、その構成図を図１に示す。図１に示すように、列車の運行を管理する運行管理システム１０は、ＬＡＮ１１を介して、サーバ装置１２に接続されている。サーバ装置１２には、インターネット等のネットワーク（通信網）１４を介して、複数のクライアント端末１５が接続されている。クライアント端末１５は、列車が通過する各駅に設置されているもので、クライアント端末１５内には、ネットワーク１４を介してサーバ装置１２に対して運行表示要求を送信して、当該要求に応じて返信されてくるＷｅｂデータを受信する汎用Ｗｅｂブラウザ１５ａと、当該Ｗｅｂデータに含まれる情報を元に汎用Ｗｅｂブラウザ１５ａ上で初期表示を設定して起動して、運行表示サーバ１３との間でデータの送受信を行って列車の在線などの運行状況を表示する運行表示クライアント１５ｂとが設けられている。なお、図１においては、クライアント端末１５の１つにしか、汎用Ｗｅｂブラウザ１５ａおよび運行表示クライアント１５ｂが記載されていないが、これは図を簡略化させるためであり、実際には、各クライアント端末１５に同様に設けられているものとする。
【００１４】
サーバ装置１２には、クライアント端末１５から送信されてくる運行表示要求等の各種要求を受信して処理する汎用Ｗｅｂサーバ１２ａと、受信された当該要求に従って、クライアント端末１５に返信すべきＷｅｂデータを生成するＷｅｂデータ生成プログラム１２ｂとが設けられている。また、ＬＡＮ１１に接続された運行管理システム１０から周期的にデータを取得するＩ／Ｆプログラム１２ｃと、Ｉ／Ｆプログラム１２ｃが取得したデータを格納している表示対象データ１２ｄと、Ｉ／Ｆプログラム１２ｃが取得したデータを処理して各種データの送受信をクライアント端末１５に対して行う運行表示サーバ１３とが設けられている。
【００１５】
運行表示サーバ１３には、Ｉ／Ｆプログラム１２ｃが取得した各種データの処理を行う処理部１３ａと、クライアント端末１５に対するデータの送受信を行うデータ送受信部１３ｂと、運行表示クライアント１５ｂの可変表示部に対して割り当てられた識別情報とＩ／Ｆプログラム１２ｃが取得した各種データとの対応表を格納している割付データ１３ｃと、運行表示クライアント１５ｂから当該識別情報を受信して格納するクライアント管理データ１３ｄとが設けられている。
【００１６】
次に、図１を基に動作について説明する。クライアント端末１５は、汎用Ｗｅｂブラウザ１５ａによって運行表示要求を汎用Ｗｅｂサーバ１２ａにネットワーク１４を介して送信する。この要求には、クライアント端末１５自身の端末ＩＤや設置駅などの初期表示を決定するための情報が含まれる。汎用Ｗｅｂサーバ１２ａは上記情報を受け取ると、クライアント端末１５毎にその情報を管理すると共に、その情報をＷｅｂデータ生成プログラム１２ｂへ渡す。Ｗｅｂデータ生成プログラム１２ｂは、当該クライアント端末１５の初期表示情報と運行表示クライアント（例えばＪａｖａ（登録商標）アプレット）の情報を含むＷｅｂデータ（例えばＨＴＭＬデータ）を生成して、当該Ｗｅｂデータを汎用Ｗｅｂサーバ１２ａへ渡す。汎用Ｗｅｂサーバ１２ａはそのＷｅｂデータを汎用Ｗｅｂブラウザ１５ａへ送信し、汎用Ｗｅｂブラウザ１５ａはそのＷｅｂデータを受信すると、所定の処理に従ってデータを表示する。これにより、汎用Ｗｅｂブラウザ１５ａ上で、上記Ｗｅｂデータに含まれる情報を元に運行表示クライアント１５ｂが初期表示を設定して起動する。
【００１７】
図２に運行表示クライアント１５ｂの表示画面の一例を示す。この例において、運行表示クライアント１５ｂは、操作部２０と運行表示部２１とを備える。以下操作部２０について記す。クライアント端末１５の設置駅がＡ駅で、Ａ駅が区間１に属する場合、初期表示として区間１の画面が表示され、表示中の区間名が区間表示切替部２０ａに表示される。クライアント端末１５の設置駅がＨ駅で、Ｈ駅が区間２に属する場合は、初期表示として区間２の画面が表示される。起動後は、区間表示切替部２０ａによって異なる区間画面を表示することが可能である。縮尺切替部２０ｂを操作することにより、例えば、５０％、１００％、１５０％というように任意に表示縮尺を変更することが可能である。その他、種々のメッセージを表示するためのメッセージ表示部２０ｃ、現在の時刻を表示する時刻表示部２０ｄを備える。
【００１８】
次に、運行表示部２１について記す。列車が通過する線路を示す線路配線図２１ａや、駅名２１ｂ、駅ホーム２１ｃといった固定表示部と、列車番号表示部２１ｄや遅延時分表示部２１ｅといった可変表示部とを備える。列車番号表示部２１ｄは、現在の列車の在線状況をその列車の識別番号である列車番号によって表すためのもので、当該列車が事前に計画されたダイヤ上のものである場合や、そうでない場合などの各状態に応じて列車番号の文字色を変えて表示する。遅延時分表示部２１ｅは、当該列車のダイヤに対する遅延時分を表示するもので、早発や遅れの度合いに応じて文字色を変えて表示する。ここでは可変表示部として列車番号表示部２１ｄと遅延時分表示部２１ｅを例に挙げたが、この発明はこれに制限されるものではなく、信号機や在線記号、進路構成なども表示可能である。駅数が多い場合は線路配線図を２段にするなどの画面構成も可能であり、また一画面で表示できない場合はスクロールバー２１ｆを付加することで対応する。
【００１９】
運行表示クライアント１５ｂはその可変表示部に表示する情報を、運行表示サーバ１３からネットワーク１４を介して取得する。このとき、運行表示クライアント１５ｂは各可変表示部に対して割当てられた識別情報を用いて、運行表示サーバ１３から受信した表示情報を該当する可変表示部に伝達する。その識別情報の一覧例を図３に示す。識別情報３０は、画面ＩＤ、部品ＩＤ、属性ＩＤの３個の値の組である。部品ＩＤはある同一画面ＩＤにおいては一意の値をとり、各部品は１個以上の属性を持つ。
【００２０】
以下、運行表示クライアント１５ｂの可変表示部にデータを表示するための処理について、図４に示す運行表示サーバ１３の処理部１３ａの処理の流れに従って説明する。
【００２１】
運行表示サーバ１３は予め起動されており、初期化処理Ｓ４０１において、運行表示サーバ１３に接続中のクライアント端末１５の個数を０にするなどの初期化処理を行う。次に、終了信号を受信したか否かを判定する終了判定処理Ｓ４０２を行い、終了と判定された場合は処理を終了する。終了でないと判定された場合は、運行表示サーバ１３は周期的な処理を行うため、Ｓ４０３でその時機かどうかを調べる。そうでない場合は、運行表示クライアント１５ｂからの新規接続に対する処理を行うためＳ４０４へ進む。
【００２２】
運行表示クライアント１５ｂは起動時に運行表示サーバ１３へ新規接続要求を送信する。運行表示サーバ１３はその要求をデータ送受信部１３ｂを介して受信する。この要求は同時に複数個受付ける場合もある。Ｓ４０４ではその要求があるかどうか調べ、要求がある場合は要求元全てに対してＳ４０５からＳ４０７の処理を行う。Ｓ４０５において運行表示サーバ１３と運行表示クライアント１５ｂの接続を確立すると、運行表示クライアント１５ｂは識別情報３０を運行表示サーバ１３へ送信する。Ｓ４０６において、運行表示サーバ１３がこの識別情報３０をデータ送受信部１３ｂで受信して、クライアント管理データ１３ｄに格納する。このクライアント管理データ１３ｄには、接続中の運行表示クライアント１５ｂ毎に現在表示中の可変表示部の一覧が格納される。この識別情報３０と、運行管理システム１０からＩ／Ｆプログラム１２ｃを介して周期的に取得する表示対象データ１２ｄとの対応表である割付データ１３ｃの一例を図５に示す。割付データ１３ｃは、各可変表示部の識別情報３０に対して、そのデータサイズとデータ変換種別を定義し、表示対象データ１２ｄとの対応についてはそのファイル番号、そのファイル中のレコード番号、そのレコード番号でのバイト位置、そのバイト位置からのビット位置を定義する。Ｓ４０７において、識別情報３０と割付データ１３ｃと表示対象データ１２ｄとから、運行表示クライアント１５ｂの各可変表示部の初期値を取得し、それをデータ変換種別５０で変換した値を、運行表示クライアント１５ｂへデータ送受信部１３ｂを介して送信する。運行表示クライアント１５ｂの各可変表示部は、受信したデータを元に表示する情報や文字色などを決定し、当該情報を表示する。
【００２３】
Ｓ４０３で周期処理時機であると判定した場合は、Ｓ４０８へ進む。運行表示サーバ１３は割付データ１３ｃの各識別情報に対して、その対応する表示対象データ１２ｄを内部的に保持している。Ｓ４０８では、その内部状態を更新する時機かどうか判断し、そうであればＳ４０９で各識別情報に対して、表示対象データ１２ｄから取得した当該データと保持している当該内部データとを比較する。変化していれば変化記憶フラグを設定すると共に内部データを更新し、変化がなければ変化記憶フラグを解除する。運行表示サーバ１３は、接続中の全運行表示クライアント１５ｂに対してリアルタイムに情報を伝達する必要があるため、周期的にデータを送信する。Ｓ４１０ではその時機かどうかを判断し、そうであればＳ４１１へ進み、接続中の運行表示クライアント１５ｂ全てに対してＳ４１２の処理を行う。Ｓ４１２では、当該運行表示クライアント１５ｂの各識別情報についてその内部状態である変化記憶フラグを調べ、変化があったデータのみをデータ送受信部１３ｂを介して送信する。データを受信した運行表示クライアント１５ｂの動作については上記通りである。
【００２４】
運行表示クライアント１５ｂのメッセージ表示部２０ｃや時刻表示部２０ｄについても識別情報を設定することで、同様に運行表示サーバ１３が送信したデータ、例えばサーバ装置１２の時刻などのデータを表示することが可能である。
【００２５】
以上のように、サーバ装置１２は各クライアント端末１５に適した初期表示を行わせることが可能となり、またサーバ装置１２は各クライアント端末１５に同一周期で運行情報を表示させることができる。
【００２６】
実施の形態２．
この発明における運行表示クライアント１５ｂで表示する画面データは、例えば「“運行管理システム用ＧＵＩライブラリの開発”，第３５回  １９９８年１１月  鉄道におけるサイバネティクス利用  国内シンポジウム論文集，日本鉄道サイバネティクス協議会」の方法にあるエディタ機能（画面編集機能）により作成する。但し、この方法では運行管理システム１０で使用するデータのみが出力されるため、この発明に必要なデータを出力可能とするよう上記方法に改良を加えた。図６にその処理の流れを示す。Ｓ６０１では、画面上で固定表示部や可変表示部などの部品を配置し、これらの部品に対してフォントや大きさ、色変化の論理などを設定することで画面編集を行う。Ｓ６０２では、画面上に配置した可変表示部に対して表示対象データ１２ｄをドラッグ＆ドロップなどの画面操作で割付けることにより、各可変表示部と表示対象データとの対応を作成する。Ｓ６０３では、作成した画面データを運行管理システム用に出力する。ここまでは上記方法の説明である。この発明では、輸送情報表示システム用のデータを出力するためのステップＳ６０４を追加した。このステップＳ６０４では、運行表示クライアント１５ｂ用として画面データ、割付データ７０、フォントや色などの描画リソース定義データを出力し、運行表示サーバ１３用として割付データ１３ｃを出力する。運行表示クライアント１５ｂ用の割付データ７０の一例を図７に示す。このデータは、各識別情報３０と画面データ内でその識別情報を埋め込む対象を特定するための情報７１とから構成される。
【００２７】
この運行表示クライアント１５ｂ用データを「特開２００１−６７１１４」の方法によって画面定義プログラムに変換し、これと別途作成した運行表示クライアント１５ｂの制御プログラムとをまとめることにより、運行表示クライアント１５ｂを生成する。但し、この発明ではこの方法について、画面データ内の各対象７１に識別情報３０を埋め込む処理を追加した。
【００２８】
以上のように、本実施の形態においては、サーバ装置１２またはクライアント端末１５の少なくともいずれか一方に、運行表示クライアント１５ｂの画面データをはじめ、本システムの動作に関わるデータを全て編集するための画面編集機能部を設けて、当該画面編集機能部で編集するようにしたので、容易なソフトウエア改修が可能となる。
【００２９】
実施の形態３．
上記の実施の形態１では、図２で示すような列車の運行表示を行うための方法について記したが、この発明はこれに制限されるものではない。例えば図８に示す構成の場合、運行管理システム１０で生成または管理される情報を、Ｗｅｂデータ生成プログラム１２ｂが運行管理システム１０から取得してＨＴＭＬデータとして生成することで、クライアント端末１５は汎用Ｗｅｂブラウザ１５ａを使用してその情報を閲覧することが可能となる。
【００３０】
汎用Ｗｅｂブラウザ１５ａの画面例を図９に示す。メニュー部９０では各メニュー項目を表示しており、内容毎に色などによってグループ分け９０ａ、９０ｂ、９０ｃ、９０ｄをする。タイトル部９１には選択したメニュー項目名を表示する。絞込み部９２には、選択したメニューで扱う情報を絞り込む際の条件等を配置する。データ表示部９３で、選択したメニューで扱う情報を表示する。
【００３１】
例えば、駅別ダイヤ状況を選択すると、Ｗｅｂデータ生成プログラム１２ｂは予め記憶した当該端末の設置駅について、そのダイヤ情報を運行管理システム１０から取得して、例えばその駅を発着する列車の時系列情報をＨＴＭＬデータで生成する。汎用Ｗｅｂブラウザ１５ａはそのデータを受信すると、当該端末の設置駅についての情報を初期表示する。表示形態としては、絞り込んだ条件９３ａ（初期表示時なら当該端末の設置駅などの情報）と、その絞込み結果９３ｂを配置する。初期表示後にその情報を絞り込む場合は、絞込み部にて条件を入力して実行ボタン９２ａを押下することで、Ｗｅｂデータ生成プログラム１２ｂへ問い合わせる。
【００３２】
その他の各メニューについても同様の処理が行われて、当該データが汎用Ｗｅｂブラウザ１５ａに表示される。
【００３３】
ここで、実施の形態１で説明した運行表示クライアント１５ｂは、例えばメニュー９０ａの在線状況を選択することで汎用Ｗｅｂブラウザ１５ａ上で起動する。表示位置として運行表示クライアント１５ｂは、操作部２０が絞込み部９２の位置に、運行表示部２１がデータ表示部９３の位置に配置されるよう記述されている。
【００３４】
以上のように、本実施の形態においても、上記実施の形態１と同様に、サーバ装置１２は、各クライアント端末１５に適した初期表示を行わせることが可能となる。さらに、本実施の形態においては、運行管理システム１０で管理する情報を、Ｗｅｂデータ生成プログラム１２ｂが運行管理システム１０から取得してＨＴＭＬデータとして生成するようにして、クライアント端末１５は汎用Ｗｅｂブラウザ１５ａを使用してその情報を閲覧するようにしたので、サーバ装置１２およびクライアント端末１５の構成を簡略化することができ、システムの製造コストを下げることができるとともに、データの処理も簡略化でき、処理の迅速化および負荷低減を図ることができる。
【００３５】
【発明の効果】
この発明は、列車の運行を管理する運行管理システムと、この運行管理システムにＬＡＮを介して接続されるサーバ装置と、このサーバ装置にネットワークを介して接続されるクライアント端末とを含む輸送情報表示システムにおいて、上記サーバ装置は、上記クライアント端末からの要求信号を受信して当該要求信号を処理する汎用Ｗｅｂサーバと、上記要求信号に基づいて上記クライアント端末に返信するためのＷｅｂデータを生成するＷｅｂデータ生成プログラムと、上記運行管理システムから周期的にデータを取得するＩ／Ｆプログラムと、このＩ／Ｆプログラムが取得したデータを処理して各種データの送受信を上記クライアント端末に対して行う運行表示サーバとを備え、上記クライアント端末は、上記サーバ装置から受信した上記Ｗｅｂデータを表示する汎用Ｗｅｂブラウザと、上記運行表示サーバとデータの送受信を行って列車の運行状況を表示する運行表示クライアントとを備えるようにしたので、サーバ装置は各クライアント端末に適した初期表示を行わせることが可能となり、またサーバ装置は各クライアント端末に同一周期で運行情報を表示させることが可能となる。
【図面の簡単な説明】
【図１】この発明の実施の形態１における輸送情報表示システムの構成図である。
【図２】図１の輸送情報表示システムの運行表示クライアントの一例を示した説明図である。
【図３】図１の輸送情報表示システムの運行表示クライアントの各可変表示部を識別するための識別情報の一例を示した説明図である。
【図４】図１の輸送情報表示システムの運行表示サーバにおける処理部の動作の流れを示した流れ図である。
【図５】図１の輸送情報表示システムの運行表示サーバにおける割付データの一例を示した説明図である。
【図６】この発明の実施の形態２における輸送情報表示システムのデータ作成手順を示した流れ図である。
【図７】この発明の実施の形態２における輸送情報表示システムのデータ作成手順で生成される、運行表示クライアント用の割付データの一例を示した説明図である。
【図８】この発明の実施の形態３における輸送情報表示システムの構成図である。
【図９】この発明の汎用Ｗｅｂブラウザにおける画面の一例を示した説明図である。
【符号の説明】
１０  運行管理システム、１１  ＬＡＮ、１２  サーバ装置、１２ａ  汎用Ｗｅｂサーバ、１２ｂ  Ｗｅｂデータ生成プログラム、１２ｃ  Ｉ／Ｆプログラム、１２ｄ  表示対象データ、１３  運行表示サーバ、１３ａ  処理部、１３ｂ  データ送受信部、１３ｃ  割付データ、１３ｄ  クライアント管理データ、１４ネットワーク、１５  クライアント端末、１５ａ  汎用Ｗｅｂブラウザ、１５ｂ  運行表示クライアント。
【図１】
2004249910.tif 000003
【図２】
2004249910.tif 000004
【図３】
2004249910.tif 000005
【図４】
2004249910.tif 000006
【図５】
2004249910.tif 000007
【図６】
2004249910.tif 000008
【図７】
2004249910.tif 000009
【図８】
2004249910.tif 000010
【図９】
2004249910.tif 000011